(57)【要約】【課題】表示部の固定される角度に自由度を持たせる。【解決手段】軸１１は、装置本体１と表示部２とを連結し、ピン１２は、表示部２を軸１１に対して所定の角度に回動自在に保持し、結合部３０は、軸１１を装置本体１１に対して所定の角度に回動自在に保持し、表示部２は、装置本体１１に対して、ほぼ垂直な状態からほぼ水平な状態になるように、所定の角度および所定の位置で保持される。本発明は、例えば、パーソナルコンピュータに適用することができる。【選択図】図１
2007299410.tif 000002
【特許請求の範囲】
【請求項１】
コンピュータ本体と、
前記コンピュータ本体と別体でなる表示部と、
前記コンピュータ本体と前記表示部とを連結する軸部と、
前記表示部を前記軸部に対して所定の角度に回動自在に保持する第１の保持部と、
前記軸部を前記コンピュータ本体に対して所定の角度に回動自在に保持する第２の保持部と
を備え、
前記表示部は、前記コンピュータ本体に対して、ほぼ垂直な状態からほぼ水平な状態になるように、所定の角度および所定の位置で保持されるとともに、ほぼ水平な状態に位置されたとき、前記コンピュータ本体の一部に当接しながらコンピュータ本体の上を覆う状態となる
ことを特徴とする情報処理装置。
【請求項２】
前記軸部は、前記表示部が前記コンピュータ本体に対してほぼ水平な状態に位置されたとき、前記表示部の背面に当接する
ことを特徴とする請求項１に記載の情報処理装置。
【請求項３】
手書き入力を検出する検出部を有する表示部と、
前記表示部を支持する支持本体部と、
前記表示部と前記支持本体部とを連結する軸部と、
前記表示部を前記軸部に対して所定の角度に回動自在に保持する第１の保持部と、
前記軸部を前記支持本体部に対して所定の角度に回動自在に保持する第２の保持部と
を備え、
前記表示部は、載置面に対して、ほぼ垂直な状態からほぼ水平な状態になるように、所定の角度および所定の位置で保持されるとともに、その表示面を上にして、ほぼ水平な状態に位置されたとき、その前端が前記載置面に当接する
ことを特徴とする情報処理装置。
【請求項４】
前記第１の保持部および前記第２の保持部は、前記表示部を所定の位置にロックするためのロック機構を有する
ことを特徴とする請求項３に記載の情報処理装置。
【発明の詳細な説明】
【技術分野】
【０００１】
本発明は、回動可能な表示部を有する情報処理装置に関し、特に、表示部の固定される角度に自由度を持たせるようにする情報処理装置に関する。
【背景技術】
【０００２】
キーボード入力と手書き入力が併用可能な情報処理装置としては、従来から種々の提案がなされている。例えば特開平６−１９５７７号公報に記載された公知例は、図８に示すように構成されていた。すなわち、図８において、装置本体１の前側には表示部２がヒンジ機構３を介して回動可能に取り付けられている。また、装置本体１の前面にはキーボード部４が設けられており、図示しないスライド機構を介して装置本体１内に収納可能となっている。そして、キーボード入力時にはキーボード部４を装置本体１から引き出し、表示部２を所定の角度に固定する。また手書き入力時には、キーボード部４を装置本体１内に収納し、装置本体１と略平行にした表示部２上にペン５で手書き入力を行う。
【０００３】
上記のように構成された従来の情報処理装置においては、キーボード使用状態と手書き入力状態とのいずれかに応じて、キーボード部４または表示部２を選択的に利用者の入力が容易な状態に設置することが可能となり、使い勝手が向上する。さらに、手書き入力時にはキーボード部４を装置本体１内に収納することができ、情報処置装置の設置面積を少なくして省スペース化を図ることができる。
【発明の開示】
【発明が解決しようとする課題】
【０００４】
ところで、情報処理装置における表示部が固定される角度は、１つのヒンジ機構のみにより決定されてしまっていた。
【０００５】
本発明はこのような状況に鑑みてなされたものであり、表示部の固定される角度に自由度を持たせることを目的とする。
【課題を解決するための手段】
【０００６】
本発明の第１の側面の情報処理装置は、コンピュータ本体と、前記コンピュータ本体と別体でなる表示部と、前記コンピュータ本体と前記表示部とを連結する軸部と、前記表示部を前記軸部に対して所定の角度に回動自在に保持する第１の保持部と、前記軸部を前記コンピュータ本体に対して所定の角度に回動自在に保持する第２の保持部とを備え、前記表示部は、前記コンピュータ本体に対して、ほぼ垂直な状態からほぼ水平な状態になるように、所定の角度および所定の位置で保持されるとともに、ほぼ水平な状態に位置されたとき、前記コンピュータ本体の一部に当接しながらコンピュータ本体の上を覆う状態となることを特徴とする。
【０００７】
前記軸部には、前記表示部が前記コンピュータ本体に対してほぼ水平な状態に位置されたとき、前記表示部の背面に当接させることができる。
【０００８】
本発明の第２の側面の情報処理装置は、手書き入力を検出する検出部を有する表示部と、前記表示部を支持する支持本体部と、前記表示部と前記支持本体部とを連結する軸部と、前記表示部を前記軸部に対して所定の角度に回動自在に保持する第１の保持部と、前記軸部を前記支持本体部に対して所定の角度に回動自在に保持する第２の保持部とを備え、前記表示部は、載置面に対して、ほぼ垂直な状態からほぼ水平な状態になるように、所定の角度および所定の位置で保持されるとともに、その表示面を上にして、ほぼ水平な状態に位置されたとき、その前端が前記載置面に当接することを特徴とする。
【０００９】
前記第１の保持部および前記第２の保持部には、前記表示部を所定の位置にロックするためのロック機構を持たせることができる。
【００１０】
本発明の第１の側面においては、表示部が、コンピュータ本体に対して、ほぼ垂直な状態からほぼ水平な状態になるように、所定の角度および所定の位置で保持されるとともに、ほぼ水平な状態に位置されたとき、コンピュータ本体の一部に当接しながらコンピュータ本体の上を覆う状態とされる。
【００１１】
本発明の第２の側面においては、表示部が、載置面に対して、ほぼ垂直な状態からほぼ水平な状態になるように、所定の角度および所定の位置で保持されるとともに、その表示面を上にして、ほぼ水平な状態に位置されたとき、その前端が載置面に当接される。
【発明の効果】
【００１２】
本発明の一側面によれば、表示部の固定される角度に自由度を持たせることが可能になる。
【発明を実施するための最良の形態】
【００１３】
以下、本発明の情報処理装置の一実施の形態を図面を参照して説明する。
【００１４】
図１は本実施の形態による情報処理装置の構成を示す側面図、図２は表示部２を装置本体１上に重ねた状態を示す平面図である。図３は表示部２を略垂直に回動した状態を示す斜視図、図４は表示部２を略水平に回動した状態を示す斜視図であり、それぞれ図１と図２に対応している。これらの図において図８に示す従来例の部分に対応する部分には同一の符号を付してあり、説明は適宜省略する。図３に示すように、装置本体１の前側には、キーボード部４が収納可能なように、凹部１ａが形成されており、非使用時、キーボード４は、この凹部１ａ内に収容され、使用時、所望の位置に配置される。後述するように、キーボード４と装置本体１は、無線（赤外線）で接続されているので、キーボード４は任意の位置に配置することができる。
【００１５】
装置本体１の奥側には結合部３０を介して軸１１の下端が回動自在に取り付けられている。軸１１の上端にはピン１２を介して表示部２が回動自在に取り付けられている。装置本体１の奥側上面には３個のペン収容孔１３Ａ乃至１３Ｃが設けられており、ペン収容孔１３Ａ乃至１３Ｃにはそれぞれ対応する３本のペン５Ａ乃至５Ｃが着脱可能に垂直方向に収納されている。
【００１６】
装置本体１のキーボード部４が収納される凹部１ａの奥には、収納されたキーボード部４により押圧されるスイッチ１４が設けられている。またペン収容孔１３Ａ乃至１３Ｃの内側底部には、収納されたペン５Ａ乃至５Ｃを検知するスイッチ１５Ａ乃至１５Ｃ（図１には、スイッチ１５として１つのみが示されている）が設けられている。さらに表示部２の上部には使用者の音声を取り込むためのマイクロホン１６と使用者を撮像するビデオカメラ１７とが設けられており、表示部２の両側には、スピーカ１８が設けられている。
【００１７】
３本のペン５Ａ乃至５Ｃはそれぞれ使用者によって固有のものに区別される。例えばペン５Ａは通常の大人用、ペン５Ｂは子供用、５Ｃは老人用となっている。そして、使用するペン５Ａ乃至５Ｃに応じて入力される文字のフォントモードが切り換えられるようになっている。例えば大人用のペン５Ａを用いたときはノーモルモード、子供用のペン５Ｂを用いたときはひらがなモード、老人用のペン５Ｃを用いたときは大文字モードとなる。
【００１８】
図５に各部の内部の構成例を示す。図１に示すスイッチ１４を有するキーボード位置検知部２１およびスイッチ１５を有するペン検知部２２からの信号はインタフェース（Ｉ／Ｆ）２５を介してＣＰＵ２３に入力され、ＣＰＵ２３はキーボード部４が装置本体１内に収納されているか否か、また３本のペン５Ａ乃至５Ｃのうちどのペンが取り出されているかを判断する。ＣＰＵ２３には各種の文字フォントが格納された文字フォント格納部（ＲＯＭ）２４が接続されている。さらにＣＰＵ２３にはインタフェース２５を介して表示部２、マイクロホン１６、ビデオカメラ１７、スピーカ１８が接続されている。なお表示部２は手書き入力を検出するタブレット２ａと、その入力、あるいは所定の情報を表示するＬＣＤ２ｂにより構成されている。
【００１９】
キーボード４はＩＲ発信部４ａを有し、操作されたキーに対応する赤外線信号を発生する。この赤外線信号は、装置本体１のＩＲ受信部２６で受信される。ＩＲ受信部２６の出力は、インタフェース２５を介してＣＰＵ２３に入力される。
【００２０】
次に本実施の形態における使用状態を説明する。キーボード部４を使用する時には、図６（Ａ）および図３に示すように、キーボード部４を装置本体１の凹部１ａから所望の位置まで引き出し、軸１１を装置本体１に対して垂直に立設し、表示部２を所定の角度に保持する。このとき結合部３０およびピン１２に設けられた図示しないロック機構により、表示部２は所定の位置にロックされる。この状態でキーボード部４により情報を入力すると、その情報はＩＲ発信部４ａからＩＲ受信部２６に入力され、さらにインタフェース２５を介してＣＰＵ２３に入力される。ＣＰＵ２３は、この入力に対応する例えばフォントを、フォント格納部２４から読み出し、ＬＣＤ２ｂに出力し、表示させる。
【００２１】
この間、用いる必要のないペン５は表示部２の後側に隠れるので、前側から見えることはない。
【００２２】
一方、手書き入力時には、図６（Ｂ）に示すようにキーボード部４を装置本体１の凹部１ａ内に収納し、軸１１を装置本体１に近接する方向に回動し、図６（Ｃ）および図４に示すように、表示部２をタブレット２ａ（ＬＣＤ２ｂ）を上にして装置本体１に近接させる。このときペン５Ａ乃至５Ｃが露出し（使用者から見える状態となり）、使用者はこれを取り出すことができる。ペン５Ａ乃至５Ｃの中から使用者は対応する所定の１つのペン５を抜き取って手書き入力を行う。この入力は、タブレット２ａで取り込まれ、ＣＰＵ２３は、この入力に対応する表示をＬＣＤ２ｂに行わせる。
【００２３】
このとき図１に示すように、表示部２の前端が装置本体１が載置された机の面に当接されるので、手書き入力がしやすくなる。この状態ではキーボード部４は表示部２により被覆される。軸１１の回動はモータによって行ってもよい。
【００２４】
次に本装置の入力方法を図７に示すフローチャートを参照して説明する。ＣＰＵ２３はステップＳ１において、キーボード部４の位置を検出する。キーボード部４が装置本体１の凹部１ａ内に収納されている場合、図１に示すように、スイッチ１４がＯＮとなっている。このとき使用者は表示部２を図６（Ｃ）に示すようにほぼ水平な状態にして手書き入力を行うものと判断し、ＣＰＵ２３はステップＳ２において手書き入力モードを設定する。次にステップＳ３において、図１に示すピン収容孔１３Ａ乃至１３Ｃのいずれからペンが取り出されたかを、各孔に設けられたスイッチ１５Ａ乃至１５Ｃによって検知する。
【００２５】
使用するペンが大人用のペン５Ａであれば、ＣＰＵ２３はノーマルモードを設定し、手書き入力された文字を、文字フォント格納部２４に格納されている通常の表示文字フォントと比較して、文字認識処理を行う。同様に使用するペンが子供用のペン５Ｂであれば、ステップＳ５でひらがなモードを設定し、手書き入力された文字を、ひらがなまたはカタカナを第１または第２候補として、文字認識処理を行う。また使用するペンが老人用のペン５Ｃであれば、ステップＳ６で大文字モードを設定する。この場合、認識された結果得られた文字を、より大きいフォントの文字で表示させるようにする。そしてＣＰＵ２３は各文字フォントに応じて、ステップＳ７において通常の情報処理を行う。すなわち、入力に対応する処理を行う。
【００２６】
ステップＳ１において、キーボード部４が装置本体１の凹部１ａから引き出され、スイッチ１４がＯＦＦとなっている場合には、表示部２を図６（Ａ）および図３に示すように、ほぼ垂直な状態にして、キーボード部４から入力が行われるものと判断し、ＣＰＵ２３はステップＳ８においてキーボード入力モードを設定し、ステップＳ７において通常の情報処理を行う。
【００２７】
上述したように本実施の形態においては、キーボード入力時に必要のないペンを表示部２の奥に隠すことができるので、好ましい外観を得ることができる。また使用者によってペン５の収納位置をそれぞれ特定の位置とし、ペン５を取り出すことによってその位置に応じた表示文字のフォントモードに切り換えることができるので、例えば子供が手書き入力した文字を正確に認識し、また、老人が入力した文字を読み易い大きさの文字で出力することができる。
【００２８】
上記ペン５の数は３本に限定されず、またモードの切り換えも、表示文字のフォントモードに限定されない。さらに各ペン５に固有のバーコードその他のＩＤを設け、ペン収容孔１３、その他にＩＤの読取装置を設けてもよい。このようにすれば、複数のペンの中から実際に使用されているものを、絶対的に特定することが可能となる。さらにキーボード部４の位置を検出するスイッチ１４の代わりに、表示部２の位置を検出するスイッチを装置本体１に設けてもよい。
【００２９】
ペン種類の検出方法として、この他、ペン５Ａ乃至５Ｃにそれぞれ異なるインダクタンスを有するコイルを設け、タブレット２ａ側から磁場を与えるようにし、ペン５Ａ乃至５をそのタブレット２ａに近づけたとき、電磁誘導方式により、そのインダクタンス値をタブレット２ａ側で検知し、そのインダクタンス値に基づいてＣＰＵ２３がモードの切換を行うようにしてもよい。この場合もペン収納部にスイッチを設ける必要がないので、ペン収納位置をユーザの好みに応じて自由に変更できる。
【００３０】
キーボードとタブレットの入力モードの切換方法としては、ペン５がタブレット２ａに接近（上記電磁誘導方式の場合）あるいは接触（感圧方式の場合）したことを、ＣＰＵ２３が検知したときタブレットモードとし、それ以外はキーボード入力モードとするようにしてもよい。このようにすれば、キーボード操作しながら、ユーザが適宜ペン入力したいときに、タブレット２ａに入力を行うことができ、スイッチ１４も不要になるから、キーボードの位置に限定されず操作性が向上する。
【図面の簡単な説明】
【００３１】
【図１】本発明の情報処理装置の構成例を示す側面図である。
【図２】図１の表示部を装置本体上に重ねた状態を示す平面図である。
【図３】図１の表示部１を垂直にした状態の構成を示す斜視図である。
【図４】図１の表示部１を水平にした状態の構成を示す斜視図である。
【図５】本発明の情報処理装置の内部の構成例を示すブロック図である。
【図６】図１のキーボード部および表示部のキーボード入力時と手書き入力時の位置を示す側面図である。
【図７】本発明の情報処理装置の入力方法の一例を示すフローチャートである。
【図８】従来の情報処理装置の一例の外観構成を示す斜視図である。
【符号の説明】
【００３２】
１  装置本体，  ２  表示部，  ４  キーボード部，  ５  ペン，  ２２  ペン検知部
【図１】
2007299410.tif 000003
【図２】
2007299410.tif 000004
【図３】
2007299410.tif 000005
【図４】
2007299410.tif 000006
【図５】
2007299410.tif 000007
【図６】
2007299410.tif 000008
【図７】
2007299410.tif 000009
【図８】
2007299410.tif 000010